(57)【要約】  【課題】  携帯電話使用者の健康に対する不安を払拭することができる被服を開発することを課題とする。  【解決手段】  パンツ１は、トランクス型であり、公知のそれと同様に胴体挿入部２と、足挿入部３を有し、睾丸や陰茎を覆うものである。そして睾丸に相当するエリア（ハッチング部分）の布に積層フィルム１０が重ねて取り付けられている。積層フィルム１０は、パンツ１を構成する布の表面（外側）に対して縫製によって取り付けられている。積層フィルム１０は、アルミニウム箔層１２と樹脂層１３が積層されたものである。【選択図】  図１
2007077559.tif 000002
【特許請求の範囲】
【請求項１】
金属層と樹脂層が積層されたフィルム、又は金属糸が織り込まれた電磁波防護布帛の少なくともいずれかを一部に有することを特徴とする被服。
【請求項２】
金属層は、アルミニウム箔層であることを特徴とする請求項１に記載の被服。
【請求項３】
フィルムは金属層を複数有することを特徴とする請求項１に記載の被服。
【請求項４】
フィルムの金属層の少なくとも一層は、アルミニウム層であることを特徴とする請求項３に記載の被服。
【請求項５】
フィルムはカーボン層を有することを特徴とする請求項１乃至４のいずれかに記載の被服。
【請求項６】
フィルムは複数のカーボン層を有することを特徴とする請求項１乃至５のいずれかに記載の被服。
【請求項７】
フィルムは異なる種類の金属層が混在していることを特徴とする請求項１乃至６のいずれかに記載の被服。
【請求項８】
フィルムは、縫製可能な強度を備えたものであることを特徴とする請求項１乃至７のいずれかに記載の被服。
【請求項９】
下着であることを特徴とする請求項１乃至８のいずれかに記載の被服。
【請求項１０】
睾丸相当部にフィルム又は電磁波防護布帛の少なくともいずれかが設けられていることを特徴とする請求項１乃至９のいずれかに記載の被服。
【請求項１１】
卵巣相当部にフィルム又は電磁波防護布帛の少なくともいずれかが設けられていることを特徴とする請求項１乃至９のいずれかに記載の被服。
【請求項１２】
裏地の一部又は全部としてフィルム又は電磁波防護布帛の少なくともいずれかが使用されていることを特徴とする請求項１乃至１１のいずれかに記載の被服。
【請求項１３】
ポケットを有し、ポケットの一部又は全部にフィルム又は電磁波防護布帛の少なくともいずれかが設けられていることを特徴とする請求項１乃至１２のいずれかに記載の被服。
【請求項１４】
ポケットを有し、ポケットの人体側の部位にフィルム又は電磁波防護布帛の少なくともいずれかが設けられていることを特徴とする請求項１乃至１２のいずれかに記載の被服。
【請求項１５】
金属糸は、アルミニウム又は銀を含有するものであることを特徴とする請求項１乃至１４のいずれかに記載の被服。
【請求項１６】
金属糸は、布帛を構成する糸の総本数に対して１０％から５０％織り込まれていることを特徴とする請求項１乃至１５のいずれかに記載の被服。
【請求項１７】
心臓ペースメーカ装着部の相当部にフィルム又は電磁波防護布帛の少なくともいずれかが設けられていることを特徴とする請求項１乃至１６のいずれかに記載の被服。
【発明の詳細な説明】
【技術分野】
【０００１】
本発明は、上着、シャツ、ズボン、下着その他の被服に関するものであり、特に携帯電話から発せられる電磁波を遮蔽する機能を備えた被服に関するものである。
【背景技術】
【０００２】
通信手段の一つとして携帯電話が普及している。携帯電話は、携帯電話機によって音声等を電磁波に変換して基地局に送信し、当該基地局から交換機等を経由して相手先の基地局と繋がり、さらに相手先の基地局から相手先の携帯電話機に電磁波が送信されて通話を行うものである。従って通話の際には、携帯電話機から電磁波が発信されている。またいわゆる待ち受け時においても携帯電話から電磁波が発信されている。
【発明の開示】
【発明が解決しようとする課題】
【０００３】
携帯電話は、ズボンのポケットや胸ポケットに収納して携行される場合が多い。ここで前記した様に、待ち受け時においても携帯電話から電磁波が発信されているので、電磁波による健康障害が懸念される。
例えば携帯電話をズボンのポケットに入れて携行すると、携帯電話が睾丸や卵巣に近接した位置となる。この時に発信される電磁波によって精子や卵子が死滅したり奇形化したりするのではないかと言う懸念がある。またさらに精子を作る細胞が電磁波の影響で死滅したり奇形化したのするのではないかと言う懸念がある。特に妊婦は、胎児に悪影響を与える懸念がある。
【０００４】
携帯電話の人体への影響に関する研究者の報告によると、例えば携帯電話使用時における脳の発熱は無視できる範囲であり、発熱による健康被害は起こらないとされている。
また電磁波による発癌性については、１９９６年５月にＷＨＯが発足させた電磁波の健康や環境への影響を評価する「国際電磁界プロジェクト」の研究があり、当該研究によると携帯電話による発癌性は否定されている。
このような研究結果から、現在のところ、携帯電話による健康被害は無いとされている。
【０００５】
しかしながら、携帯電話は開発されて間もない商品である。そのため長期使用における障害の有無については、データが無いのが実情であり、長期間の使用による健康被害が無いと断定できる証拠は無い。
【０００６】
また近年、携帯電話の心臓ペースメーカ（以下  単にペースメーカと言う）への悪影響が心配されている。即ちペースメーカは、体内に埋め込まれ、弱い電気信号を心筋に送り、心臓の心拍数を日常生活に適した状態に改善する医療機器である。そのため心臓ペースメーカは、一定の周期で電気信号を発生させる。
ところが、ペースメーカが強力な磁気や電磁波にさらされると、電気信号を発信する周期が狂ったり、電気信号が弱くなる場合がある。
そのためペースメーカの装着者の近傍で携帯電話を使用すると、ペースメーカに異常をきたし、場合によっては使用者が失神する場合もあるとされている。
【０００７】
そこで本発明は、携帯電話使用者や、ペースメーカ使用者の健康に対する不安を払拭することができる被服を開発することを課題とするものである。
【課題を解決するための手段】
【０００８】
そして上記した課題を解決するための請求項１に記載の発明は、金属箔層と樹脂層が積層されたフィルム、又は金属糸が織り込まれた電磁波防護布帛の少なくともいずれかを一部に有することを特徴とする被服である。
【０００９】
本発明のフィルムは、金属層或いは電磁波防護布帛によって電磁波を遮蔽するので人体に照射される電磁波を大幅に軽減させることができる。
【００１０】
金属箔の素材は、アルミニウム、銅、銀等が採用可能であるが、銅は、錆びやすく、銀は高価であることからアルミニウムが最も適している。
【００１１】
この点に注目して完成された請求項２に記載の発明は、金属箔層は、アルミニウム箔層であることを特徴とする請求項１に記載の被服である。
【００１２】
また請求項３に記載の発明は、フィルムは金属層を複数有することを特徴とする請求項１に記載の被服である。
【００１３】
請求項４に記載の発明は、フィルムの金属層の少なくとも一層は、アルミニウム層であることを特徴とする請求項３に記載の被服である。
【００１４】
またカーボン層を設けることが推奨される（請求項５）。
【００１５】
即ちカーボン層は、電磁波を吸収する機能を持ち、人体に照射される電磁波を大幅に軽減させることができる。
【００１６】
カーボン層は複数あることが望ましい（請求項６）。
【００１７】
例えば表裏面にカーボン層を設けることが推奨される。
【００１８】
請求項７に記載の発明は、フィルムは異なる種類の金属層が混在していることを特徴とする請求項１乃至６のいずれかに記載の被服である。
【００１９】
さらにフィルムは、アルミニウム層と鉄層を有していてもよい。
アルミニウム層は電磁波を遮蔽する機能が高く、鉄層は磁気を遮蔽する機能が高いので、両者を積層することによる相乗効果が高い。
【００２０】
またフィルムは、アルミニウム層と銀層を有していてもよい。
【００２１】
アルミニウム層と、銀層は、効果的に電磁波を遮蔽する周波数領域が異なる。そのため両者を積層することによって遮蔽効果の低い周波数領域を補完することができる。
【００２２】
またフィルムに銅層を設けてもよい。
【００２３】
請求項８に記載の発明は、フィルムは、縫製可能な強度を備えたものであることを特徴とする請求項１乃至７のいずれかに記載の被服である。
【００２４】
本発明で採用するフィルムは、縫製可能であるから、被服の内面や外面に直接縫い付けることができ、電磁波を遮蔽することができる。またフィルムによって被服そのものを縫製することもできる。
【００２５】
請求項９に記載の発明は、下着であることを特徴とする請求項１乃至８のいずれかに記載の被服である。
【００２６】
請求項１０に記載の発明は、睾丸相当部にフィルム又は電磁波防護布帛の少なくともいずれかが設けられていることを特徴とする請求項１乃至９のいずれかに記載の被服である。
【００２７】
本発明の被服では、睾丸相当部にフィルム等が設けられているので、睾丸に照射される電磁波を軽減させることができる。
【００２８】
請求項１１に記載の発明は、卵巣相当部にフィルム又は電磁波防護布帛の少なくともいずれかが設けられていることを特徴とする請求項１乃至９のいずれかに記載の被服である。
【００２９】
本発明の被服では、卵巣相当部にフィルム等が設けられているので、卵巣に照射される電磁波を軽減させることができる。
【００３０】
請求項１２に記載の発明は、裏地の一部又は全部としてフィルム又は電磁波防護布帛の少なくともいずれかが使用されていることを特徴とする請求項１乃至１１のいずれかに記載の被服である。
【００３１】
本発明の被服は、裏地としてフィルム等を使用しているので、被服のデザインを崩さない。
【００３２】
請求項１３に記載の発明は、ポケットを有し、ポケットの一部又は全部にフィルム又は電磁波防護布帛の少なくともいずれかが設けられていることを特徴とする請求項１乃至１２のいずれかに記載の被服である。
【００３３】
本発明の被服では、ポケットの一部又は全部にフィルムや電磁波防護布帛が設けられているので、ポケットに携帯電話を入れた時、ポケットから電磁波が洩れず、健康を害する懸念が無い。
【００３４】
請求項１４に記載の発明は、ポケットを有し、ポケットの人体側の部位にフィルム又は電磁波防護布帛の少なくともいずれかが設けられていることを特徴とする請求項１乃至１２のいずれかに記載の被服である。
【００３５】
本発明の被服では、ポケットの人体側の部位にフィルム等が設けられているからポケットに携帯電話を入れた時、電磁波が人体側に洩れず、健康を害する懸念が無い。また外面側にフィルムを設けない構成や、外面側のフィルムが密状態でない様な構成を採用すると、携帯電話の着信を妨げることが無い。
【００３６】
請求項１５に記載の発明は、金属糸は、アルミニウム又は銀を含有するものであることを特徴とする請求項１乃至１４のいずれかに記載の被服である。
【００３７】
本発明者の研究によると、アルミニウム又は銀を含有する糸を使用すると電磁波を遮蔽する機能が高い。
【００３８】
請求項１６に記載の発明は、金属糸は、布帛を構成する糸の総本数に対して１０％から５０％織り込まれていることを特徴とする請求項１乃至１５のいずれかに記載の被服である。
【００３９】
金属糸の織り込み量は、多いほど電磁波遮蔽機能が向上するが、織り込み量が５０％を超えると布の風合いを損なう。また金属糸の織り込み量が１０％に満たない場合は、電磁波を遮蔽する機能が劣り、十分な効果を発揮することができない。
【００４０】
請求項１７に記載の発明は、心臓ペースメーカ装着部の相当部にフィルム又は電磁波防護布帛の少なくともいずれかが設けられていることを特徴とする請求項１乃至１６のいずれかに記載の被服である。
【００４１】
本発明の被服では、心臓ペースメーカ装着部の相当部にフィルム等が設けられているので、心臓ペースメーカに晒される電磁波が軽減させる。そのため本発明の被服を着用すると、ペースメーカが狂うのではないかという不安から開放される。
【発明の効果】
【００４２】
本発明の被服は、電磁波等を遮蔽することができ、電磁波障害を起こす懸念が無いという効果がある。また本発明の被服を着用するとペースメーカの誤動作を防止することができる。
【発明を実施するための最良の形態】
【００４３】
以下さらに本発明の実施形態について説明する。
図１は、本発明の実施形態のパンツ（男子用）の正面図である。図２は、本発明の他の実施形態のパンティ（女子用）の正面図である。図３は、積層フィルムの拡大断面図である。
【００４４】
図１に示すパンツ１は、トランクス型であり、公知のそれと同様に胴体挿入部２と、足挿入部３，４を有し、睾丸や陰茎を覆うものである。そして本実施形態では、睾丸に相当するエリア（ハッチング部分）の布に積層フィルム１０が重ねて取り付けられている。
【００４５】
また  図１に示すパンティ５は、子宮や卵巣に相当するエリア（ハッチング部分）の布に積層フィルム１０が重ねて取り付けられている。
【００４６】
本実施形態では、積層フィルム１０は、パンツ１やパンティ５を構成する布の表面（外側）に対して縫製によって取り付けられている。
【００４７】
ここで積層フィルム１０は、例えばスナック菓子の袋の素材と同等のものであり、図２の様にアルミニウム箔層１２と樹脂層１３が積層されたものである。
ここでアルミニウム箔層１２の厚さは、８μｍ以上であることが望ましく、さらに１８μｍ以上であることが推奨される。即ちアルミニウム箔層１２の厚さが、８μｍ未満である場合は、電磁波を遮蔽する機能が十分ではない。アルミニウム箔層１２の厚さが、１８μｍ以上であれば、相当の強度を有する電磁波であっても遮蔽することができ、信頼性が高い。
上記した積層フィルム１０は、２層構造であるが、３層以上の構成であってもよい。３層以上の構成を持つ例については後記する。
【００４８】
樹脂層の素材は任意であり、公知の樹脂であってフィルム化が可能なものであれば良い。例えばセロハン、ポリエチレン、延伸ポリプロピレン、無延伸ポリプロピレン、ポリエチレンテレフタレート，ポリ塩化ビニリデンコート二軸延伸ポリプロピレン、Ｋコートポリエチレンテレフタレート、エチレンビニルアルコール共重合体等の樹脂を使用することができる。
【００４９】
また積層フィルムに代わって金属糸が織り込まれた布帛（電磁波防護布帛）１１を使用してもよい。金属糸は、アルミニウム又は銀であることが推奨される。金属糸の織り込み量は、総本数の１０％以上であることが望ましい。また金属糸の織り込み量は、総本数の５０％以下であることが望ましい。最も推奨される織り込み量は、２５〜３５％である。
【００５０】
布帛は、例えば下着であれば、平織りや綾織り、フランネル（ネル）等の織り物であることが望ましいが、編み生地であってもよい。
【００５１】
以上説明した実施形態では、積層フィルム１０や布帛（電磁波防護布帛）１１を睾丸相当部分や卵巣相当部分にだけ設けた例を示したが、全体に積層フィルム１０や布帛（電磁波防護布帛）１１を設けてもよい。また積層フィルム１０や布帛（電磁波防護布帛）１１によってパンツを縫製してもよい。
【００５２】
またパンツやパンティ以外の下着、例えばパッチ、ステテコ、ブラジャー等に積層フィルム１０を設けてもよい。さらに下着以外の被服に積層フィルム１０や布帛（電磁波防護布帛）１１を設けてもよい。図４は、本発明の他の実施形態のズボンの正面図である。図５は、図４に示すズボンの内部を示す説明図である。
【００５３】
図４に示すズボン２０では、ポケット２１は、公知のそれと同様に袋状の部材をズボン２０の内面側に縫い付けたものであるが、この内、人体側に面するＡエリアにだけ積層フィルム１０或いは布帛（電磁波防護布帛）１１が取り付けられている。これに対して外側に面するＢエリアには積層フィルム１０等は無い。
本実施形態のズボン２０では、ポケット２１の人体側に面するａエリアに積層フィルム１０等が取り付けられているので、ポケット２１に収納した携帯電話から発信される電磁波が人体側に向かわず、睾丸が保護される。
一方、外側に面するｂエリアには積層フィルム１０等が無いので、携帯電話は、外部からの電磁波を受信することができる。
【００５４】
以上説明した被服は、いずれも下半身に装着するものであるが、上着等の上半身に着用する被服にも本発明を応用ことができる。即ち図６は、本発明の他の実施形態の上着の正面図である。
本実施形態の上着１５では、裏地に積層フィルム１０或いは布帛（電磁波防護布帛）１１が使用されている。
上着等の上半身に着用する被服に本発明を応用したものは、例えばペースメーカの使用者の様な電子的な健康補助器具を使用している人に推奨される。
【００５５】
次にペースメーカ装着者に推奨される被服の他の実施形態について説明する。
図７は、ペースメーカ装着者の体を示す斜視図である。図８は、図７のペースメーカ装着者が着用する被服である。
ペースメーカ３０は、周知の様に心臓３１に電気信号を与えるものであり、使用者の体内に埋め込まれる。ペースメーカ３０を埋め込む位置は、使用者の体型によって異なり、図の様な右胸に埋め込まれたり、左胸に埋め込まれる場合が多い。また腹部にペースメーカを埋め込む場合もある。
【００５６】
図８に示す被服３２はワイシャツであり、胸の部分に積層フィルム１０が縫い付けられている。積層フィルム１０の位置は、被服の左胸部分であり、ペースメーカ３０が埋め込まれた部位である。
積層フィルム１０の大きさは大きいほど良いと言えるが、少なくともペースメーカ３０を覆うことができるものであることが必要である。
またペースメーカ３０から積層フィルム１０の端部までの距離ａ，ｂ，ｃ，ｄがいずれも１１センチメートル以上あることが推奨される。
即ちペースメーカ３０と、携帯電話（図示せず）との間の距離が２２センチメートル以上あるならば、携帯電話の電波によってペースメーカ３０が誤動作することはないとされている。
【００５７】
ここで積層フィルム１０の前であってペースメーカ３０の中心部に携帯電話があると想定すると、電波は、積層フィルム１０を迂回してペースメーカ３０に達する。そのため、ペースメーカ３０の中心部に携帯電話があると想定すると、電波は、前記した距離ａ，ｂ，ｃ，ｄを迂回してペースメーカ３０に達する。従ってこの迂回路の長さが２２センチメートル以上あるならば、携帯電話の影響でペースメーカ３０が誤動作をすることはない。従って前記した様に、ペースメーカ３０から積層フィルム１０の端部までの距離ａ，ｂ，ｃ，ｄがいずれも１１センチメートル以上あることが推奨される。
【００５８】
本実施形態では、体の前面側にのみ積層フィルム１０を設けたが、背中側にも積層フィルム１０を設けることが望ましい。
【００５９】
次に本発明者らが行った実験について説明する。
実験は、ペースメーカをパソコンと接続し、ペースメーカが発する信号電圧をパソコンに入力し、その信号電圧のグラフと、信号電圧の信号をパルス化したグラフを描かせた。またペースメーカの近傍に携帯電話を置き、当該携帯電話に電話をして着信させた。
そして本願発明の実施例として、図６に示す上着１５をペースメーカに被せ、その状態で携帯電話を着信させた。また比較例として上着１５を外した状態で、携帯電話を着信させた。即ち上着１５は裏地に積層フィルム１０が使用されたものである。
【００６０】
比較例におけるグラフは図９の通りである。実施例におけるグラフは、図１０の通りである。即ち図９は、ペースメーカ使用者の近傍で携帯電話を使用した場合に想定されるペースメーカの信号を示すグラフである。図１０は、本発明の被服を着用した場合における、ペースメーカ使用者の近傍で携帯電話を使用した場合に想定されるペースメーカの信号を示すグラフである。
クラフの様に、上着１５を外した状態で、携帯電話を着信させると、ペースメーカが発信する信号電圧が乱れ、パルス間隔が不規則となる。これに対してペースメーカに上着１５を被せると、着信の前後でペースメーカが発信する信号が同一であり、パルス間隔も規則的である。
【００６１】
次に積層フィルム１０の変形例について説明する。図１１乃至１６は、積層フィルムの変形例の拡大断面図である。
積層フィルム１０は３層以上の構成であってもよいという点については前記したが、具体的には図１１乃至１６に示す様な層構成のものが推奨される。
即ち図１１に示す積層フィルム１０は、ポリエチレンテレフタレート又はポリエチレン等の樹脂層１３を挟んで２層のアルミニウム蒸着層１６が設けられ、さらにその外側に樹脂層１３が積層され、最も外層の二面にカーボン層８０が積層されたものである。樹脂層１３の厚さは、２０〜３０μｍであり、アルミニウム蒸着層１６は１００〜５００オングストローム程度である。
なおアルミニウム蒸着層１６に代わってアルミニウム箔を採用し、アルミニウム箔と樹脂層１３とを、接着剤等で貼り合わせてもよい。
両面のカーボン層８０は、いずれも共役二重結合の炭素化合物を含む。
共役二重結合の炭素化合物は、電磁波を吸収する機能があり、携帯電話から発せられる電磁波を吸収する。
【００６２】
図１２に示す積層フィルム１０は、異種の金属層を有するものであり、アルミニウム箔層１２に銅又は銀の層８５が積層されている。銅又は銀の層８５は、蒸着によって接合されてもよく、また予め金属箔化した後に、接着剤等で張り合わせてもよい。本実施形態では、アルミニウム箔層１２と銅又は銀の層８５は接着剤（図示せず）で貼り合わされている。
【００６３】
本実施形態では、異種金属の層を有するものであり、いずれの周波数であっても高い電磁波遮蔽機能を有する。即ち電磁波を遮蔽する能力は、遮蔽しようとする電磁波の周波数の影響を受けるが、周波数と遮蔽能力との関係は、金属ごとに異なる。例えばアルミニウムは、周波数の上昇と共に遮蔽能力も上昇するが、周波数がある一定値以上となると、遮蔽能力が極端に低下する。これに対して、銀では大きな能力低下が見られない。一方、アルミニウムは安価であり、銀は高価である。
本実施形態では、アルミニウムの層と銀の層とを設けたので、周波数の影響が軽減され、いずれの周波数領域においても安定した遮蔽機能を発揮する。
【００６４】
図１３に示す積層フィルム１０は、さらに鉄の層８２を設けたものである。即ち図１３に示す積層フィルム１０は、アルミニウム箔層１２、銀層８１及び鉄層８２が設けられている。これらの金属層１２，８１，８２の間には、ポリエチレンテフタレート等の樹脂層１３が設けられ、さらに最も外面には、ポリエチレンテフタレート等の樹脂層１３を介してカーボン層８０が設けられているる
本実施形態の積層フィルム１０は、鉄層８２が設けられているので、磁気を遮蔽することもできる。さらに鉛の層を追加してもよい。また鉄層８２や銀層８１に代わって鉛層を設けてもよい。
【００６５】
上記した例は、いずれも複雑な積層構造を有するものであるが、図１４に示す様なアルミニウム箔層１２の片面にカーボン層８０を積層し、他面に樹脂層１３を積層した様なものであってもよい。また図１５の様にアルミニウム箔層１２に代わって銀や銅の層８５を設け、片面にカーボン層８０を積層し、他面に樹脂層１３を積層した様なものでもよい。さらに図１６の様にアルミニウム箔層１２に代わって鉄層８２を設け、片面にカーボン層８０を積層し他面に樹脂層１３を積層した様なものであってもよい。銀や銅の層８５、鉄層８２に代わって鉛層を設けてもよい。
【図面の簡単な説明】
【００６６】
【図１】本発明の実施形態のパンツの正面図である。
【図２】本発明の他の実施形態のパンティの正面図である。
【図３】積層フィルムの拡大断面図である。
【図４】本発明の他の実施形態のズボンの正面図である。
【図５】図４に示すズボンの内部を示す説明図である。
【図６】本発明の他の実施形態の上着の正面図である。
【図７】ペースメーカ装着者の体を示す斜視図である。
【図８】図７のペースメーカ装着者が着用する被服の斜視図である。
【図９】ペースメーカ使用者の近傍で携帯電話を使用した場合に想定されるペースメーカの信号を示すグラフである。
【図１０】本発明の被服を着用した場合における、ペースメーカ使用者の近傍で携帯電話を使用した場合に想定されるペースメーカの信号を示すグラフである。
【図１１】積層フィルムの変形例の拡大断面図である。
【図１２】積層フィルムの他の変形例の拡大断面図である。
【図１３】積層フィルムのさらに他の変形例の拡大断面図である。
【図１４】積層フィルムのさらに他の変形例の拡大断面図である。
【図１５】積層フィルムのさらに他の変形例の拡大断面図である。
【図１６】積層フィルムのさらに他の変形例の拡大断面図である。
【符号の説明】
【００６７】
１  パンツ
５  パンティ
１０  積層フィルム
１１  布帛（電磁波防護布帛）
１２  アルミニウム箔層
１３  樹脂層
１５  上着
１６  アルミニウム蒸着層
２０  ズボン
２１  ポケット
３２  被服
８０  カーボン層
８１  銀層
８２  鉄層
８５  銅又は銀の層
【図１】
2007077559.tif 000003
【図２】
2007077559.tif 000004
【図３】
2007077559.tif 000005
【図４】
2007077559.tif 000006
【図５】
2007077559.tif 000007
【図６】
2007077559.tif 000008
【図７】
2007077559.tif 000009
【図８】
2007077559.tif 000010
【図１１】
2007077559.tif 000011
【図１２】
2007077559.tif 000012
【図１３】
2007077559.tif 000013
【図１４】
2007077559.tif 000014
【図１５】
2007077559.tif 000015
【図１６】
2007077559.tif 000016
【図９】
2007077559.tif 000017
【図１０】
2007077559.tif 000018